(57)【特許請求の範囲】
【請求項１】
上面が開放する水鉢と、この水鉢の内部に固定配置する装飾物取付け板とからなり、前記水鉢の内部に装飾物取付け板を載置する複数の支持柱を立設し、前記取付け板が、水鉢内に納まる大きさとなるプレートに、装飾物の軸部を上から差し込む複数の差し込み筒と、装飾物の電飾に対する給電コードの上下貫通部を設けて形成され、この取付け板を前記水鉢の支持柱に固定するようにした仏事用の水鉢装置。
【請求項２】
上記水鉢は、その内部に、名札の軸を差し込むことにより名札を起立配置するための筒体が立設されている請求項１に記載の仏事用の水鉢装置。
【発明の詳細な説明】
【技術分野】
【０００１】
この発明は、法事や葬儀等の仏事において、仏前や祭壇等に造花を盛り付けて生け花風に飾るために用いる仏事用の水鉢装置に関する。
【背景技術】
【０００２】
法事や葬儀等の仏事を執り行う場合、仏前や祭壇等に各種装飾具を設置して荘厳な雰囲気をかもし出すようにしているが、仏前や祭壇等に造花を盛り付けて生け花風に飾ることもその一つである。
【０００３】
従来、法事や葬儀等の仏事において、造花を生け花風に飾る場合、図５（ａ）のように、花瓶１を用い、この花瓶１の口部に複数の孔２を設けたレンコン板３を嵌め込み、このレンコン板３の孔２に造花Ａの軸部ａを差し込んで生ける方法（特許文献１参照）や、図５（ｂ）のように、水鉢４の内部に板状やブロック状の発泡スチロール５を配置し、この発泡スチロール５に造花Ａの軸部ａを差し込んで生ける方法が採用されている。
【特許文献１】特開２０００−１９７５４９号公報
【発明の開示】
【発明が解決しようとする課題】
【０００４】
ところで、上記した花瓶１を用いた場合、どうしても生けた造花Ａが一箇所にかたまり状となり、見た目の豪華さに欠けるだけでなく、花瓶１は上下に長く下面の接地面積も少ないため、配置状態が不安定となり、造花Ａは上端部に重心があるため少しの外力で転び易いという問題がある。
【０００５】
また、水鉢４を用いた場合、水鉢４は平たい形状であるので下面の接地面積を広く確保でき、倒れる心配が少ないと共に、造花Ａを平面的に分散できるので豪華な感じを出せるが、発泡スチロール５に造花Ａの軸部を任意の位置に差し込んで生けるため、生ける人によって生け花の完成状態が変化し、均一な装飾効果が得られないという問題がある。
【０００６】
そこで、この発明の課題は、水鉢のもつ利点を有効に生かしながら、生ける人が異なっても生け花の完成状態を均一にすることができる水鉢装置を提供することにある。
【課題を解決するための手段】
【０００７】
上記の課題を解決するため、この発明は、上面が開放する水鉢と、この水鉢の内部に固定配置する装飾物取付け板とからなり、前記水鉢の内部に装飾物取付け板を載置する複数の支持柱を立設し、前記装飾物取付け板が、水鉢内に納まる大きさとなるプレートに、装飾物の軸部を上から差し込む複数の差し込み筒と、装飾物の電飾に対する給電コードの上下貫通部を設けて形成され、この装飾物取付け板を前記水鉢の支持柱に固定するようにした構成を採用したものである。
【０００８】
上記水鉢は、その内部に、名札の軸を差し込むことにより名札を起立配置するための筒体が立設されている構造とすることができる。
【０００９】
ここで、上記水鉢は、合成樹脂や陶磁器等を用いて上面が開放する横長の角型に形成され、この水鉢には、下面四隅の位置に接地脚と、長さ方向に沿う後部周壁の上部中央位置にコード孔と、内部で長さ方向の両端部寄りの位置に、前後一対となる支持柱及び、支持柱よりも端部側の位置に名札の軸を差し込むための筒体が立設されている。
【００１０】
また、装飾物取付け板は、合成樹脂等を用い、水鉢内に納まる大きさとなるプレートが、両側の角板部を接続部で繋いだ左右対称の横長に形成され、両側の角板部のそれぞれには、上記支持柱と対応する位置にビス孔と、上端が開口して下面に突出する複数の差し込み筒と、同じく下面側に突出して上下に貫通する筒状の上下貫通部とが設けられ、支持柱の上に載置した水平状態で、ビス孔から支持柱にねじ込んだビスで固定するようになっている。
【００１１】
上記差し込み筒は、下面に突出する有底状となり、差し込んだ造花の軸を安定よく支持できるようになっていると共に、所定の配列になっているので、決められた差し込み筒に決められた種類の造花を差し込んで生けるようにすればよい。
【発明の効果】
【００１２】
この発明によると、水鉢の内部に装飾物取付け板を固定し、この装飾物取付け板に装飾物の軸部を上から差し込む複数の差し込み筒を設けたので、水鉢の安定感を有効に生かしながら造花を生け花風に盛り付けて飾ることができ、決められた差し込み筒に決められた種類の造花を差し込んで生けるようにすれば、生ける人が異なっても生け花の完成状態を均一にすることができる。
【００１３】
また、装飾物取付け板に装飾物の電飾に対する給電コードの上下貫通部を設けたので、生け花風に盛り付けた造花の電飾に対する給電コードの処理が水鉢内で行え、給電コードが正面から見えないようになり、装飾性の向上が図れることになる。
【００１４】
更に、水鉢とその内部に固定した装飾物取付け板の組合わせであるので、構造が簡単であるだけでなく、水鉢の内部に筒体を立設したので、生け花に付随する名札の取付けが行えることになる。
【発明を実施するための最良の形態】
【００１５】
以下、この発明の実施の形態を図示例に基づいて説明する。
【００１６】
図示のように、水鉢装置１１は、水鉢１２とその内部に固定する装飾物取付け板１３の組合わせによって形成され、前記水鉢１２は、実際に水を入れるものではなく、花器である水鉢の外形を模したものであり、その形状は自由に選択できるが、図示の場合、合成樹脂や陶磁器等を用いて上面が開放する横長で深さのある角型の装飾鉢に形成され、この水鉢１２には、安定よく設置できるようにするための下面四隅の位置に接地脚１４と、長さ方向に沿う後部周壁の上部中央位置にコード孔１５と、内部で長さ方向の両端部寄りの位置に、前後一対となる支持柱１６及び、支持柱１６よりも端部側の位置に名札Ｂの軸ｂを差し込むための筒体１７が立設されている。
【００１７】
上記装飾物取付け板１３は、合成樹脂等を用い、水鉢１２内に納まる大きさとなるプレートが、両側の角板部１３ａを接続部１３ｂで繋いだ左右対称の横長に形成され、接続部１３ｂの後縁にコード掛け１８が下向きに突設され、両側の角板部１３ａのそれぞれには、上記支持柱１６と対応する位置にビス孔１９と、上端が開口して下面に突出する複数の差し込み筒２０と、同じく下面側に突出して上下に貫通する筒状の上下貫通部２１と、上面の適所に造花差込筒２２とが設けられている。
【００１８】
上記差し込み筒２０は、角板部１３ａに対して複数が所定の配列で設けられ、この差し込み筒２０は下面に突出する有底状となり、開口２０ａに上から差し込んだ造花Ａの軸ａを安定よく支持できるようになっている。
【００１９】
また、上記ビス孔１９の下面は、図３のように、支持柱１６の上端に外嵌するよう筒状になっていると共に、上下貫通部２１は、給電コードＣを上下に通すためのものであり、下面側に突出して上面が開口２１ａとなる孔が上下に貫通する筒状に形成され、装飾物取付け板１３を支持柱１６の上に載置した状態で、差し込み筒２０及び上下貫通部２１は、その下端が水鉢１２の底面よりも高い位置にあるように下方への突出する長さが設定されている。
【００２０】
この発明の水鉢装置１１は上記のような構成であり、水鉢１２の内部に臨ませた装飾物取付け板１３を支持柱１６の上に載置し、ビス孔１９から支持柱１６にねじ込んだビス２３によって装飾物取付け板１３を水平に固定し、この後、前記装飾物取付け板１３に設けた各差し込み筒２０に、予め指定した造花Ａの軸部ａを差し込んで盛り付けることにより生け花を形成し、必要ならば水鉢１２の内部に立設した筒体１７に軸部を差し込んで名札Ｂを取付けた図４の状態で、法事や仏事において、仏前や祭壇等に飾るものである。
【００２１】
上記の造花Ａにおいて、蓮花のような電飾造花を用いた場合は、図３のように、その光源に対する給電コードＣは、水鉢１２の後部に設けたコード孔１５から挿入してコード掛け１８に引掛け、上下貫通部２１を下から上に通して処理すればよく、電飾造花に対する給電コードＣの処理が水鉢１２内で行えることになり、正面から給電コードＣが見えないので、水鉢装置１１の装飾性の向上が図れることになる。
【００２２】
上記水鉢装置１１は、水鉢１２の安定感を有効に生かしながら、決められた差し込み筒２０に決められた種類の造花Ａの軸部ａを差し込んで生けるようにすることで、生ける人が異なっても生け花の完成状態を均一にすることができる。
【図面の簡単な説明】
【００２３】
【図１】この発明に係る水鉢装置の分解斜視図
【図２】この発明に係る水鉢装置の組立て状態を示す斜視図
【図３】図２の矢印ｘ−ｘ部分を拡大した縦断正面図
【図４】この発明に係る水鉢装置に造花を生け花風に飾った例の斜視図
【図５】造花を生け花風に飾る従来例を示し、（ａ）は花瓶を用いた例の斜視図、（ｂ）は水鉢と発泡スチロールを用いた例の斜視図
【符号の説明】
【００２４】
１１        水鉢装置
１２        水鉢
１３        装飾物取付け板
１４        接地脚
１５        コード孔
１６        支持柱
１７        筒体
１８        コード掛け
１９        ビス孔
２０        差込み筒
２１        上下貫通部
２２        造花差込筒
２３        ビス
Ａ          造花
Ｂ          名札
Ｃ          コード
【図１】
0005091626.tif 000002
【図２】
0005091626.tif 000003
【図３】
0005091626.tif 000004
【図４】
0005091626.tif 000005
【図５】
0005091626.tif 000006